(57)【特許請求の範囲】
【請求項１】
１台の遊技機に対応付けられて複数の情報表示機が設けられる遊技場用システムであって、
前記複数の情報表示機の各々は、
遊技機側から出力され、当該遊技機における遊技状態が、遊技者にとって有利な遊技状態である特別状態であるか否かを特定可能な遊技信号である特別状態信号を受信する受信手段と、
前記受信手段により受信された特別状態信号により遊技機が特別状態中であるか否かを特定する状態特定手段と、
前記状態特定手段により特別状態であると特定された回数である特別状態回数を少なくとも含む遊技情報を特定する遊技情報特定手段と、
前記遊技情報特定手段により特定される遊技情報を遊技者向けに表示する表示手段と、
前記受信手段による特別状態信号の受信に応じて特別状態が特定されたことを示す補正信号を他方の情報表示機へと送信する送信手段と、
前記他方の情報表示機の送信手段から送信された補正信号を受信した場合に、前記状態特定手段により特別状態中であると特定されているか否かを判定する判定手段と、
前記判定手段による判定結果に応じて前記状態特定手段に特別状態であることを特定させる補正手段と、を備えたことを特徴とする遊技場用システム。
【請求項２】
前記状態特定手段が前記補正手段により特別状態であると特定した場合に、補正特別状態であると特定する補正状態特定手段と、
前記受信手段により受信された特別状態信号により遊技機が特別状態中であると前記状態特定手段が特定していることを条件として、前記特別状態信号により当該特別状態が終了したか否かを判定する終了判定手段と、を備え、
前記送信手段は、特別状態が終了したと前記終了判定手段が判定した場合に、特別状態が終了したと前記終了判定手段が判定したことを示す補正信号である補正終了信号を他方の情報表示機へと送信し、
前記終了判定手段は、前記他方の情報表示機の送信手段から送信された補正終了信号を受信した場合に、補正特別状態であると前記補正状態特定手段が特定していることを条件に特別状態が終了したと判定することを特徴とする請求項１に記載した遊技場用システム。
【請求項３】
特別状態中の遊技情報に基づいて当該特別状態の種別を特定する種別特定手段を備え、
前記送信手段は、前記種別特定手段により特定された特別状態の種別を示す補正信号を、前記終了判定手段により特別状態が終了したと判定されることを条件として他方の情報表示機に送信することで、前記補正終了信号を送信し、
前記種別特定手段は、前記受信手段により受信された特別状態信号により遊技機が特別状態中であると前記状態特定手段が特定した場合に、特別状態中の遊技情報に基づいて当該特別状態の種別を特定する一方、補正特別状態であると前記補正状態特定手段が特定している場合に、前記他方の情報表示機の送信手段から送信された前記補正終了信号に基づいて当該特別状態の種別を特定することを特徴とする請求項２に記載した遊技場用システム。
【請求項４】
前記終了判定手段は、遊技機が補正特別状態中であると前記補正状態特定手段が特定した場合であって補正信号を受信することなく特別状態信号の受信を終了して許容時間が経過した場合に特別状態が終了したと判定する特別終了判定を実行し、
前記種別特定手段は、補正特別状態中であると前記補正状態特定手段が特定した場合、
前記特別終了判定が実行されたことを条件として、遊技機が特別状態中であるときの遊技情報に基づいて特別状態の種別を特定することを特徴とする請求項３に記載した遊技場用システム。
【請求項５】
１台の遊技機に対応付けられて複数の情報表示機が設けられる遊技場用システムであって、
前記複数の情報表示機の各々は、
遊技機側から出力され、当該遊技機における遊技情報を特定可能な遊技信号を受信する受信手段と、
前記受信手段により受信された遊技信号により遊技情報を特定する遊技情報特定手段と、
前記遊技情報特定手段により特定される遊技情報を遊技者向けに表示する表示手段と、
前記遊技情報特定手段により特定される遊技情報を特定可能な補正信号を他方の情報表示機へと送信する送信手段と、
前記他方の情報表示機の送信手段から送信された補正信号により特定される遊技情報と、前記遊技情報特定手段が前記受信手段により受信された遊技信号に基づいて特定した遊技情報とを比較する比較手段と、
前記比較手段による比較結果に応じて、前記遊技情報特定手段により特定された遊技情報を補正信号により特定される遊技情報へと補正する補正手段と、を備えたことを特徴とする遊技場用システム。
【請求項６】
前記補正手段による補正を行った場合に、異常報知を行う異常報知手段を備えたことを特徴とする請求項１乃至５の何れかに記載した遊技場用システム。
【請求項７】
１台の遊技機に対応付けられて複数の情報表示機が設けられる遊技場用システムであって、
前記複数の情報表示機の各々は、
遊技機側から出力され、当該遊技機における遊技情報を特定可能な遊技信号を受信する受信手段と、
前記受信手段により受信された遊技信号により遊技情報を特定する遊技情報特定手段と、
前記遊技情報特定手段により特定される遊技情報を遊技者向けに表示する表示手段と、
前記受信手段による遊技信号の受信に応じて、遊技信号を受信したことを示し前記遊技信号に代わって前記遊技情報特定手段による情報更新対象となり得る代替信号を他方の情報表示機へと送信する送信手段と、
前記他方の情報表示機の送信手段から送信された代替信号の受信と、前記受信手段による遊技信号の受信との間隔の時間差が許容範囲以内にあるか否かを判定する判定手段と、
前記判定手段による判定結果に応じて、受信した代替信号、及び遊技信号の何れか一方のみを前記遊技情報特定手段の情報更新対象とする対象特定手段と、を備えたことを特徴とする遊技場用システム。
【請求項８】
前記対象特定手段により代替信号を前記遊技情報特定手段の情報更新対象とした場合に、異常報知を行う異常報知手段を備えたことを特徴とする請求項７に記載した遊技場用システム。
【発明の詳細な説明】
【技術分野】
【０００１】
本発明は、１台の遊技機に対応付けられて複数の情報表示機が設けられる遊技場用システムに関する。
【背景技術】
【０００２】
遊技場では、遊技者へのサービスとして遊技機に対応付けられて遊技情報を表示する情報表示機が設置されている。このような情報表示機として、特許文献１に開示されているように所謂呼出ランプに表示部を設けると共に、貸出機等の台端末に表示部を設けることで、それら各々を情報表示機として利用することも珍しくない。
【先行技術文献】
【特許文献】
【０００３】
【特許文献１】特開２００３−３２００９０号公報
【発明の概要】
【発明が解決しようとする課題】
【０００４】
さて、このように１台の遊技機に対応付けられて複数の情報表示機が設けられる構成では、例えば大当たり回数等、遊技者にとって重要となる遊技情報を複数の情報表示機にて共通して表示する場合もある。このような遊技情報は、情報表示機間で同一の数値を表示するのが当然ではあるが、各々の情報表示機は遊技機側から出力される遊技信号を独立して受信し、その遊技信号の受信結果に基づいて数値を特定して表示する構成であるので、稀にノイズによる信号の受信漏れ、又は原因不明の事由等により、双方の数値が異なって表示されてしまうことがある。このように情報表示機間で本来は同一であるはずの遊技情報が異なって表示されてしまうと、遊技者に違和感を与えてしまい、更には情報表示機に表示される遊技情報自体に不信感を抱かせてしまう虞もある。
【０００５】
本発明は、上記した事情に鑑みてなされたものであり、その目的は、１台の遊技機に対応付けられて複数の情報表示機が設けられる構成において、それら複数の情報表示機間で遊技情報が異なって表示されてしまうことを未然に回避し、遊技者に違和感を与えたり不信感を抱かせたりする虞を軽減することを可能とする遊技場用システムを提供することにある。
【課題を解決するための手段】
【０００６】
請求項１に記載した発明は、１台の遊技機に対応付けられて複数の情報表示機が設けられる遊技場用システムであって、前記複数の情報表示機の各々は、遊技機側から出力され、当該遊技機における遊技状態が、遊技者にとって有利な遊技状態である特別状態であるか否かを特定可能な遊技信号である特別状態信号を受信する受信手段と、前記受信手段により受信された特別状態信号により遊技機が特別状態中であるか否かを特定する状態特定手段と、前記状態特定手段により特別状態であると特定された回数である特別状態回数を少なくとも含む遊技情報を特定する遊技情報特定手段と、前記遊技情報特定手段により特定される遊技情報を遊技者向けに表示する表示手段と、前記受信手段による特別状態信号の受信に応じて特別状態が特定されたことを示す補正信号を他方の情報表示機へと送信する送信手段と、前記他方の情報表示機の送信手段から送信された補正信号を受信した場合に、前記状態特定手段により特別状態中であると特定されているか否かを判定する判定手段と、前記判定手段による判定結果に応じて前記状態特定手段に特別状態であることを特定させる補正手段と、を備えたところに特徴を有する。
【０００７】
請求項２に記載した発明は、前記状態特定手段が前記補正手段により特別状態であると特定した場合に、補正特別状態であると特定する補正状態特定手段と、前記受信手段により受信された特別状態信号により遊技機が特別状態中であると前記状態特定手段が特定していることを条件として、前記特別状態信号により当該特別状態が終了したか否かを判定する終了判定手段と、を備え、前記送信手段は、特別状態が終了したと前記終了判定手段が判定した場合に、特別状態が終了したと前記終了判定手段が判定したことを示す補正信号である補正終了信号を他方の情報表示機へと送信し、前記終了判定手段は、前記他方の情報表示機の送信手段から送信された補正終了信号を受信した場合に、補正特別状態であると前記補正状態特定手段が特定していることを条件に特別状態が終了したと判定するところに特徴を有する。
【０００８】
請求項３に記載した発明は、特別状態中の遊技情報に基づいて当該特別状態の種別を特定する種別特定手段を備え、前記送信手段は、前記種別特定手段により特定された特別状態の種別を示す補正信号を、前記終了判定手段により特別状態が終了したと判定されることを条件として他方の情報表示機に送信することで、前記補正終了信号を送信し、前記種別特定手段は、前記受信手段により受信された特別状態信号により遊技機が特別状態中であると前記状態特定手段が特定した場合に、特別状態中の遊技情報に基づいて当該特別状態の種別を特定する一方、補正特別状態であると前記補正状態特定手段が特定している場合に、前記他方の情報表示機の送信手段から送信された前記補正終了信号に基づいて当該特別状態の種別を特定するところに特徴を有する。
【０００９】
請求項４に記載した発明は、前記終了判定手段は、遊技機が補正特別状態中であると前記補正状態特定手段が特定した場合であって補正信号を受信することなく特別状態信号の受信を終了して許容時間が経過した場合に特別状態が終了したと判定する特別終了判定を実行し、前記種別特定手段は、補正特別状態中であると前記補正状態特定手段が特定した場合、前記特別終了判定が実行されたことを条件として、遊技機が特別状態中であるときの遊技情報に基づいて特別状態の種別を特定するところに特徴を有する。
【００１０】
請求項５に記載した発明は、１台の遊技機に対応付けられて複数の情報表示機が設けられる遊技場用システムであって、前記複数の情報表示機の各々は、遊技機側から出力され、当該遊技機における遊技情報を特定可能な遊技信号を受信する受信手段と、前記受信手段により受信された遊技信号により遊技情報を特定する遊技情報特定手段と、前記遊技情報特定手段により特定される遊技情報を遊技者向けに表示する表示手段と、前記遊技情報特定手段により特定される遊技情報を特定可能な補正信号を他方の情報表示機へと送信する送信手段と、前記他方の情報表示機の送信手段から送信された補正信号により特定される遊技情報と、前記遊技情報特定手段が前記受信手段により受信された遊技信号に基づいて特定した遊技情報とを比較する比較手段と、前記比較手段による比較結果に応じて、前記遊技情報特定手段により特定された遊技情報を補正信号により特定される遊技情報へと補正する補正手段と、を備えたところに特徴を有する。
【００１１】
請求項６に記載した発明は、前記補正手段による補正を行った場合に、異常報知を行う異常報知手段を備えたところに特徴を有する。
【００１２】
請求項７に記載した発明は、１台の遊技機に対応付けられて複数の情報表示機が設けられる遊技場用システムであって、前記複数の情報表示機の各々は、遊技機側から出力され、当該遊技機における遊技情報を特定可能な遊技信号を受信する受信手段と、前記受信手段により受信された遊技信号により遊技情報を特定する遊技情報特定手段と、前記遊技情報特定手段により特定される遊技情報を遊技者向けに表示する表示手段と、前記受信手段による遊技信号の受信に応じて、遊技信号を受信したことを示し前記遊技信号に代わって前記遊技情報特定手段による情報更新対象となり得る代替信号を他方の情報表示機へと送信する送信手段と、前記他方の情報表示機の送信手段から送信された代替信号の受信と、前記受信手段による遊技信号の受信との間隔の時間差が許容範囲以内にあるか否かを判定する判定手段と、前記判定手段による判定結果に応じて、受信した代替信号、及び遊技信号の何れか一方のみを前記遊技情報特定手段の情報更新対象とする対象特定手段と、を備えたところに特徴を有する。
【００１３】
請求項８に記載した発明は、前記対象特定手段により代替信号を前記遊技情報特定手段の情報更新対象とした場合に、異常報知を行う異常報知手段を備えたところに特徴を有する。
【発明の効果】
【００１４】
請求項１に記載した発明によれば、１台の遊技機に対応付けられて設けられる複数の情報表示機の各々において、他方の情報表示機から送信される補正信号によっても特別状態の発生を特定するので、遊技機側からの信号の受信漏れがあっても特別状態の発生回数を情報表示機間で同期させることが可能となる。この場合、判定手段による判定結果に応じて特別状態の発生を判定する、即ち、特別状態中であることを判定済みであると判定していれば、特別状態の発生を重複して判定することを防止することができ、特別状態の発生回数を適切に特定することができる。
【００１５】
請求項２に記載した発明によれば、補正信号が特別状態信号を受信してから送信されるという性質上、補正信号を受信した場合に特別状態中であると判定していなければ、特別状態信号の受信漏れが想定されるが、その受信漏れの可能性がある場合には、受信漏れしていない情報表示機からの補正信号により特別状態の終了を判定するので、特別状態の終了を適切に判定することができる。
【００１６】
請求項３に記載した発明によれば、上記した請求項２に記載した発明と同様に、補正信号を受信した場合に特別状態中であると判定していなければ、特別状態信号の受信漏れが想定され、特別状態である期間を特定することができずに特別状態の種別を適切に特定することができない虞があるが、信号が受信漏れしていない情報表示機の判定結果により特別状態の種別を特定するので、特別状態の種別を適切に特定することができる。
【００１７】
請求項４に記載した発明によれば、補正信号の受信漏れが発生する可能性もあり得るが、補正信号の受信漏れがあっても特別状態の終了を適切に判定することができる。
請求項５に記載した発明によれば、１台の遊技機に対応付けられて設けられる複数の情報表示機の各々において、他方の情報表示機から送信される補正信号によっても遊技情報を補正するので、遊技機側からの信号の受信漏れがあっても遊技情報を情報表示機間で同期させることが可能となる。この場合、比較手段による比較結果に応じて遊技情報を補正する、即ち、補正信号により特定される遊技情報が遊技情報特定手段により特定される遊技情報を超過することで、遊技信号の受信漏れを特定した場合に補正を行うので、信号の受信漏れが無い場合に遊技情報を重複して更新することを防止することができ、遊技情報を適切に特定することができる。
【００１８】
請求項６に記載した発明によれば、補正手段による補正を行った場合には信号の受信漏れ等の異常である可能性が高いので、異常報知を行うことで、異常が発生したことを特定することができ、更には、その情報表示機に対して異常を追及することで、信号の受信漏れ、又は原因不明の事由を特定することができる。
【００１９】
請求項７に記載した発明によれば、１台の遊技機に対応付けられて設けられる複数の情報表示機の各々において、他方の情報表示機から送信される代替信号も遊技情報の情報更新対象とするので、遊技機側からの信号の受信漏れがあっても遊技情報を情報表示機間で同期させることができる。この場合、判定手段による判定結果に応じて代替信号と遊技信号の何れか一方のみを情報更新対象とするので、遊技信号の受信漏れを特定した場合にのみ代替信号を情報更新対象とすることが可能となり、信号の受信漏れが無い場合に遊技情報を重複して更新することを防止することができ、遊技情報を適切に特定することができる。
【００２０】
請求項８に記載した発明によれば、他方の情報表示機から送信される代替信号を遊技情報特定手段の情報更新対象とした場合には信号の受信漏れ等の異常である可能性が高いので、異常報知を行うことで、異常が発生したことを特定することができ、更には、その情報表示機に対して異常を追及することで、信号の受信漏れ、又は原因不明の事由を特定することができる。
【図面の簡単な説明】
【００２１】
【図１】本発明の第１の実施形態を示す全体構成図
【図２】貸出機の液晶表示部における表示画面を示す図
【図３】台上端末の液晶表示部における表示画面を示す図
【図４】情報補正設定を示す図
【図５】情報表示機が行う情報表示機処理を示すフローチャート
【図６】図５相当図
【図７】本発明の第２の実施形態を示すもので、情報表示機が行う情報表示機処理を示すフローチャート
【図８】図７相当図
【発明を実施するための形態】
【００２２】
（第１の実施形態）
以下、本発明の第１の実施形態について、図１乃至図６を参照して説明する。図１は遊技場用システムの全体構成を概略的に示している。遊技場にはパチンコ遊技機（以下、遊技機と称する）１に対応して貸出機２（情報表示機に相当）及び台上端末３（情報表示機に相当）が設置されている。２台の遊技機１、２台の貸出機２及び２台の台上端末３は１台の中継装置４に接続されており、中継装置４はＬＡＮ５を介して例えば管理室に設置されている管理装置６に接続されている。又、貸出機２と台上端末３とは中継装置４を介さずに直接接続されている。管理装置６は、遊技機１側（遊技機１、貸出機２等）から出力された遊技信号を中継装置４を介して受信する。尚、図１では省略しているが、数１００台の遊技機１が管理装置６の管理対象となる。
【００２３】
遊技機１は、所謂デジパチとしての周知の構成を有し、払出された遊技玉を受ける上部受皿７、上部受皿７から溢れた玉又は釦操作により上部受皿７から導かれた玉を受ける下部受皿８、上部受皿７の玉を盤面に発射するためのハンドル９等を備えて構成されている。又、遊技機１の盤面には、普図（普通図柄）入賞口１０、第１始動口１１、第２始動口１２、第１始動口１１又は第２始動口１２への入賞に応じて表示図柄が変動する液晶表示部１３、液晶表示部１３に表示された図柄が大当たり図柄である場合に発生する大当たり時に開放する大入賞口１４等が設けられている。
【００２４】
遊技機１は以下のように動作する。
（１）第１始動口１１又は第２始動口１２への入賞に応じて大当たり抽選を行い、抽選結果に基づいて所謂特別図柄（特図）による図柄変動を液晶表示部１３にて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
【００２５】
（２）大当たり抽選の当選確率（大当たり確率）は１／３００であり、大当たりのうち大当たり後に確変状態（確変）となる大当たりの割合は６６．６％（２／３）であり、平均継続数は１÷（１−（２／３））＝３回である。
【００２６】
（３）大当たりが発生すると対応するラウンド（Ｒ）に応じた分（１５Ｒ又は２Ｒ分）だけ大入賞口１４を開放する。尚、１Ｒの上限入賞数は１０個であり、上限開放時間は３０秒であり、上限入賞数又は上限開放時間の何れかが満たされた場合に１Ｒを終了する。
【００２７】
（４）確変中は大当たり確率が１／３０に向上すると共に、第２始動口１２への入賞率が向上する時短状態（時短）になる。尚、確変は次回の大当たりまで継続するので、大当たり後に通常遊技状態（通常）となる大当たり（通常大当たり）が発生するまで継続する。又、確変及び時短等の遊技者にとって通常よりも大当たりを発生させ易い状態を甘中とする。
【００２８】
貸出機２は、遊技者が貨幣を投入するための貨幣投入口１５、遊技データ等の各種情報を表示する表示機能及び遊技者からの入力を受付ける入力受付機能を有するタッチパネル式の液晶表示部１６（表示手段に相当）、遊技者が会員カードを挿入するためのカード挿入口１７、遊技者がカード挿入口１７に挿入されている会員カードを排出させるために操作する返却釦（排出釦）１８、遊技者が再プレイ玉の払出しを受けるために操作する再プレイ釦１９等を備えて構成されている。又、遊技機１の上部受皿７よりやや上方の位置に玉払出口２０が設けられていると共に、玉払出口２０を覆うように払出ノズル２１が設けられており、玉払出口２０から払出された遊技玉は払出ノズル２１を経由して上部受皿７に供給される。
【００２９】
貸出機２は、所謂カード式であり、受付けた貨幣に対応するカードを内部的に発行し、遊技機１に設けられる図示しない貸出釦の押下に応じて、発行したカードに対応する貨幣（有価価値）を対価として玉を貸出すべく貸出信号を遊技機１に送信して遊技機１から玉を払出させることで貸出処理を実行する。貸出機２は、ＣＰＵからなる制御部（状態特定手段、遊技情報特定手段、判定手段、補正手段、補正状態特定手段、終了判定手段、比較手段、異常報知手段、対象特定手段に相当）、ＣＦ（コンパクトフラッシュ（登録商標））、ＲＡＭ及びＲＯＭ等からなる記憶部、Ｉ／Ｆからなる送受信部（受信手段、送信手段に相当）等を備えており、各種信号や各種情報を送受信する。
【００３０】
遊技機１側からは次に示す遊技信号が出力される。
「アウト信号」：使用玉（使用媒体）を回収するアウトＢＯＸから出力される使用玉数（アウト、使用媒体数）を特定可能な信号である。回収（使用、打込）玉１０玉に対して１パルスが出力されるので、「アウト信号数×１０」をアウトとして特定する。尚、遊技機１から出力される信号であっても良い。
【００３１】
「セーフ信号」：遊技機１から出力される払出玉数（セーフ、払出媒体数）を特定可能な信号である。遊技機１での遊技（入賞）に応じた払出１０玉に対して１パルスが出力されるので、「セーフ信号数×１０」をセーフとして特定する。尚、補給装置から出力される補給信号をセーフ信号としても良い。
【００３２】
「始動信号」：遊技機１から出力される図柄変動数（役物作動数、スタート）を特定可能な信号である。第１始動口１１又は第２始動口１２への入賞により変動（作動）する液晶表示部１３（役物）における図柄変動（役物作動、スタート処理）１回につき１パルスが出力されるので、「始動信号数×１」をスタートとして特定する。尚、第１始動口１１又は第２始動口１２への入賞に応じて出力される始動入賞信号を図柄変動と見做して始動信号としても良い。
【００３３】
「大当たり信号」：遊技機１から出力される特別状態である大当たりを特定可能な特別状態信号である。大当たり中にレベル出力される状態信号であるので、大当たり信号受信中を大当たり中として特定する。
【００３４】
「確変信号」：遊技機１から出力される特別状態である確変状態を特定可能な特別状態信号である。大当たり確率が向上する確変中等の大当たりを通常状態よりも発生させ易い状態である確変状態中にレベル出力される状態信号であるので、確変信号受信中を特別状態中として特定する。尚、確変中だけでなく、第１始動口１１又は第２始動口１２への入賞率が向上する時短中にレベル出力される状態信号（時短信号）であっても良い。又、上記した大当たり信号、及び確変信号の何れも受信していない期間を遊技機１が通常状態であると特定する。即ち、大当たり信号、及び確変信号は遊技機１の遊技状態を特定可能な信号である（何れも特別状態信号に相当）。
【００３５】
「売上信号」：貸出機２から出力される売上情報（売上玉数、売上額）を特定可能な信号である。遊技者に対する有価価値を対価とした貸出玉２５玉毎に１パルスが出力されるので、「売上信号数×２５」を売上玉数として特定し、「売上玉数×貸出単価（例えば４円）」を売上額として特定する。
【００３６】
台上端末３は、複数のデータ切替釦を含むデータ切替釦群２２、呼出釦２３及び液晶表示部２４（表示手段に相当）等が設けられて構成されている。台上端末３は、ＣＰＵからなる制御部（状態特定手段、遊技情報特定手段、判定手段、補正手段、補正状態特定手段、終了判定手段、比較手段、異常報知手段、対象特定手段に相当）、ＣＦ、ＲＡＭ、ＲＯＭからなる記憶部、Ｉ／Ｆからなる送受信部（受信手段、送信手段に相当）等を備えており、各種信号や各種情報を送受信する。
【００３７】
上記した構成では、貸出機２及び台上端末３は、遊技機１側から出力された遊技信号を中継装置４を介して受信する端子を別々に有することで、遊技機１側から出力された遊技信号を中継装置４を介して独立して受信し、各々が遊技信号を受信した結果に基づいて数値を特定し、その特定した数値を遊技情報として表示する。貸出機２及び台上端末３が表示する表示情報としては次に示すように複数の項目があり、それら複数の項目のうち幾つかの項目は共通している（同じ内容である）。以下、貸出機２及び台上端末３が表示する表示情報について、図２及び図３を参照して説明する。図２は貸出機２が液晶表示部１６に表示する表示画面を示しており、図３は台上端末３が液晶表示部２４に表示する表示画面を示している。
【００３８】
貸出機２と台上端末３とは以下に示す（１）乃至（４）の４つの遊技情報を共通して表示する。
（１）発生した大当たりの総数
貸出機２は「大当たり回数」として大当たり回数表示部１６ａに表示し、台上端末３は「大当たり」として大当たり表示部２４ａに表示する。図２及び図３では「３２回」を例示している。
（２）１５Ｒ（Ｔ１Ｙ＞Ｔ１Ｙ判定値（詳しくは後述する））の大当たり数
貸出機２は「大当超回数」として大当超回数表示部１６ｂに表示し、台上端末３は「１５Ｒ」として１５Ｒ表示部２４ｂに表示する。図２及び図３では「２０回」を例示している。
【００３９】
（３）２Ｒ（Ｔ１Ｙ≦Ｔ１Ｙ判定値）の大当たり数
貸出機２は「大当小回数」として大当小回数表示部１６ｃに表示し、台上端末３は「２Ｒ」として２Ｒ表示部２４ｃに表示する。図２及び図３では「１２回」を例示している。
（４）大当たり発生により初期化されるスタート（大当たり間スタート）
貸出機２は「只今のスタート」としてスタート表示部１６ｄに表示し、台上端末３は「スタート」としてスタート表示部２４ｄに表示する。図２及び図３では「３１２回」を例示している。
【００４０】
又、貸出機２は以下に示す（５）及び（６）の２つの遊技情報を独立して（台上端末３と共通せずに）表示する。
（５）営業開始時からの累計出玉（セーフ信号の受信により加算され、「０」以下でないことを条件としてアウト信号の受信により減算される出玉情報）
貸出機２は「放出玉」として放出玉表示部１６ｅに表示する。図２では「１４２００個」を例示している。
（６）通常状態におけるスタートである通常スタートに対する通常状態から発生した大当たりである初当たりの発生確率（初当たり数÷通常スタート）
貸出機２は「初当たり確率」として初当たり確率表示部１６ｆに表示する。図２では「１／３０７」を例示している。
【００４１】
又、台上端末３は以下に示す（７）乃至（９）の３つの遊技情報を独立して（貸出機２と共通せずに）表示する。
（７）貸出機２の放出玉の当日営業日の最高値
台上端末３は「最高出玉」として最高出玉表示部２４ｅに表示する。図３では「１７３６０個」を例示している。
（８）初当たり発生後から通常状態になるまでに発生した大当たり数の過去最高値（連荘最高数）
台上端末３は「過去最高継続」として過去最高継続表示部２４ｆに表示する。図３では「２６連」を例示している。
（９）最高出玉の過去最高値
台上端末３は「過去最高獲得」として過去最高獲得表示部２４ｇに表示する。図３では「３８５２０個」を例示している。
【００４２】
ここで、当日営業日に関わる遊技情報の対象期間の起算時点は、その営業日における営業開始時であり、過去に関わる遊技情報の対象期間の起算時点は、対応する遊技機１の遊技場への導入日等であり、遊技場の管理者により設定又は遊技情報が初期化された時点となる。尚、台上端末３は、上記した遊技情報以外にも、アウト（縦軸）と出玉（セーフ−アウト）（横軸）との相対関係をグラフ化して出玉グラフ表示部２４ｈに表示すると共に、各種イベント情報等をテロップ表示部２４ｉに表示する。
【００４３】
中継装置４は、ＣＰＵからなる制御部、ＣＦ、ＲＡＭ及びＲＯＭ等からなる記憶部、Ｉ／Ｆからなる送受信部等を備えており、各種信号や各種情報を送受信する（中継する）。
管理装置６は、ＣＰＵからなる制御部、ＨＤＤ、ＲＡＭ及びＲＯＭ等からなる記憶部、Ｉ／Ｆからなる送受信部、モニタ及びプリンタ等からなる出力部、キーボード及びマウス等からなる操作部等を備え、遊技機１側から出力された遊技信号を受信することで遊技データを当該遊技機１に対して個別に付与されている遊技機ＩＤ（台番）毎に集計して特定する機能を有している。管理装置６は、図４に示す情報補正設定を設定可能であり、情報補正設定を特定可能な設定情報を中継装置４を介して貸出機２及び台上端末３に送信し、貸出機２及び台上端末３は、管理装置６から送信された設定情報を受信すると、その受信した設定情報により特定される情報補正設定を設定する。情報補正設定における各項目の意味は次の通りである。
【００４４】
「Ｔ１Ｙ判定値」：大当たり中の出玉（Ｔ１Ｙ＝セーフ−アウト）に対する設定値（図４では「１０００」を例示している）であり、その大当たりの種類（２Ｒ又は１５Ｒ）を判定するための設定値である。Ｔ１ＹがＴ１Ｙ判定値を超過していれば１５Ｒであると判定し、Ｔ１ＹがＴ１Ｙ判定値を超過していなければ２Ｒであると判定する。尚、大当たりの種類が３種類以上であれば複数設定する必要がある。後述する第２の実施形態にも対応する。
【００４５】
「始動信号タイマ」：始動信号の受信に応じて作動する始動信号タイマの作動時間に対する設定値である。「始動信号タイマ」は作動を開始した後に設定時間（図４では「２秒」を例示している）分の作動後にタイムアップして作動を停止する。後述する第２の実施形態に対応する。
【００４６】
「始動代替タイマ」：始動代替信号の受信に応じて作動する始動代替タイマの作動時間に対する設定値である。「始動代替タイマ」は「始動信号タイマ」と同様に作動を開始した後に設定時間（図４では「２秒」を例示している）分の作動後にタイムアップして作動を停止する。後述する第２の実施形態に対応する。
【００４７】
次に、上記した構成の作用について、図５及び図６を参照して説明する。図５及び図６は貸出機２及び台上端末３の各々が本発明に関連して情報表示機として行う情報表示機処理を示している。これ以降、貸出機２及び台上端末３を情報表示機と称して説明する。
【００４８】
情報表示機は、メイン処理から情報表示機処理に移行し、情報表示機処理を開始すると、対応する遊技機１が大当たり中であるか否かを示す大当たりフラグを「０」に設定しているか否かを判定する（Ｓ１）。ここで、情報表示機は、大当たりフラグを「０」に設定している、即ち、対応する遊技機１が大当たり中でないと判定すると（Ｓ１：ＹＥＳ）、遊技機１から始動信号を受信したか否かを判定し（Ｓ２）、遊技機１から始動信号を受信した、即ち、スタートを特定したと判定すると（Ｓ２：ＹＥＳ）、スタートを加算し（Ｓ３）、その加算後のスタートを更新表示し（貸出機２であればスタート表示部１６ｄを更新表示し、台上端末３であればスタート表示部２４ｄを更新表示し）、その加算後のスタートを特定可能な始動情報（補正信号に相当）を他方の情報表示機に送信する（Ｓ４）。
【００４９】
又、情報表示機は、遊技機１から始動信号を受信していないと判定すると（Ｓ２：ＮＯ）、他方の情報表示機から始動情報を受信したか否かを判定し（Ｓ５）、他方の情報表示機から始動情報を受信したと判定すると（Ｓ５：ＹＥＳ）、自機のスタートと、他方の情報表示機から受信した始動情報により特定したスタートとを比較する（Ｓ６）。そして、情報表示機は、他方の情報表示機から受信した始動情報により特定したスタートが、自機のスタートを超過していると判定すると（Ｓ６：ＹＥＳ）、他方の情報表示機から受信した始動情報により特定したスタートを自機のスタートとして設定し（Ｓ７）、その時点で表示しているスタートを他方の情報表示機から受信した始動情報により特定したスタートに更新表示する。これにより、例えば一方の情報表示機にて始動信号の受信漏れが発生した場合であっても、双方の情報表示機にてスタートを同一の数値で遊技者に対して通知することができる。尚、情報表示機は、他方の情報表示機から受信した始動情報により特定したスタートが、自機のスタートを超過していないと判定すると（Ｓ６：ＮＯ）、その時点で表示しているスタートを継続表示する。
【００５０】
又、情報表示機は、遊技機１からの大当たり信号の受信を開始したか否かを判定し（Ｓ８）、遊技機１からの大当たり信号の受信を開始したと判定すると（Ｓ８：ＹＥＳ）、大当たりを加算し（Ｓ９）、その加算後の大当たりを更新表示し（貸出機２であれば大当たり回数表示部１６ａを更新表示し、台上端末３であれば大当たり表示部２４ａを更新表示し）、その加算後の大当たり数を特定可能な大当たり情報（補正信号に相当）を他方の情報表示機に送信し（Ｓ１０）、Ｔ１Ｙを初期化し（Ｓ１１）、大当たり中であることを示すべく大当たりフラグを「１」に設定する（Ｓ１２）。
【００５１】
又、情報表示機は、遊技機１からの大当たり信号の受信を開始していないと判定すると（Ｓ８：ＮＯ）、他方の情報表示機から大当たり情報を受信したか否かを判定し（Ｓ１３）、他方の情報表示機から大当たり情報を受信したと判定すると（Ｓ１３：ＹＥＳ）、他方の情報表示機から受信した大当たり情報により特定した大当たり数を自機の大当たりとして設定し（Ｓ１４）、その時点で表示している大当たりを他方の情報表示機から受信した大当たり情報により特定した大当たりに更新表示し（Ｓ１４）、大当たりの発生を大当たり情報により特定したことを示すべく補正大当たりフラグを「１」に設定し（Ｓ１５）、Ｔ１Ｙを初期化し（Ｓ１１）、大当たりフラグを「１」に設定する（Ｓ１２）。これにより、例えば一方の情報表示機にて大当たり信号の受信漏れが発生した場合であっても、双方の情報表示機にて大当たりを同一の数値で遊技者に対して通知することができる。
【００５２】
又、情報表示機は、大当たりフラグを「０」に設定していない、即ち、対応する遊技機１が大当たり中であると判定すると（Ｓ１：ＮＯ）、遊技機１側からアウト信号又はセーフ信号を受信したか否かを判定し（Ｓ１６）、遊技機１側からアウト信号又はセーフ信号を受信したと判定すると（Ｓ１６：ＹＥＳ）、その受信したアウト信号により特定したアウト又はセーフ信号により特定したセーフに基づいてＴ１Ｙ（大当たり中の差玉（セーフ−アウト））を更新する（Ｓ１７）。
【００５３】
又、情報表示機は、補正大当たりフラグを「１」に設定しているか否かを判定し（Ｓ１８）、補正大当たりフラグを「１」に設定していない、即ち、遊技機１からの大当たり信号の受信を開始したことで自機が大当たりを特定したと判定すると（Ｓ１８：ＮＯ）、遊技機１からの大当たり信号の受信を終了したか否かを判定し（Ｓ１９）、遊技機１からの大当たり信号の受信を終了したと判定すると（Ｓ１９：ＹＥＳ）、Ｔ１ＹとＴ１Ｙ判定値とを比較する（Ｓ２０）。
【００５４】
ここで、情報表示機は、Ｔ１ＹがＴ１Ｙ判定値を超過していると判定すると（Ｓ２０：ＹＥＳ）、大当たりの種類が１５Ｒであると特定し、１５Ｒを加算する一方（Ｓ２１）、Ｔ１ＹがＴ１Ｙ判定値を超過していないと判定すると（Ｓ２０：ＮＯ）、大当たりの種類が２Ｒであると特定し、２Ｒを加算し（Ｓ２２）、それら加算後のＲを特定可能なＲ情報（補正終了信号に相当）を他方の情報表示機に送信し（Ｓ２３）、それら加算後のＲを更新表示し（貸出機２であれば大当超回数表示部１６ｂ又は大当小回数表示部１６ｃを更新表示し、台上端末３であれば１５Ｒ表示部２４ｂ又は２Ｒ表示部２４ｃを更新表示し）、スタートを初期化し（Ｓ２４）、対応する遊技機１が大当たり中でない（大当たりを終了した）ことを示すべく大当たりフラグを「０」に設定する（Ｓ２５）。
【００５５】
一方、情報表示機は、補正大当たりフラグを「１」に設定している、即ち、他方の情報表示機からの大当たり情報を受信したことで大当たりを特定した（他方の情報表示機が大当たりを特定した）と判定すると（Ｓ１８：ＹＥＳ）、他方の情報表示機からＲ情報を受信したか否かを判定し（Ｓ２６）、他方の情報表示機からＲ情報を受信したと判定すると（Ｓ２６：ＹＥＳ）、補正大当たりフラグを「０」に設定し（Ｓ２７）、その受信したＲ情報により大当たりの種類が１５Ｒ又は２Ｒの何れであるかを特定し、１５Ｒ又は２Ｒを更新し（Ｓ２８）、スタート（大当たり間スタート）を初期化し（Ｓ２４）、対応する遊技機１が大当たり中でない（大当たりを終了した）ことを示すべく大当たりフラグを「０」に設定する（Ｓ２５）。
【００５６】
以上に説明したように第１の実施形態によれば、１台の遊技機１に対応付けられて貸出機２と台上端末３との複数が遊技情報を表示する情報表示機として設けられる構成において、貸出機２及び台上端末３の各々が、遊技機１側から出力された始動信号や大当たり信号を受信することで始動情報や大当たり情報を他方の情報表示機に送信する一方、他方の情報表示機から送信された始動情報や大当たり情報を受信することでもスタートや大当たりの発生を特定するように構成したので、遊技機１側からの信号の受信漏れがあってもスタートや大当たりの発生回数を情報表示機間で同期させることができる。
【００５７】
（第２の実施形態）
次に、本発明の第２の実施形態について、図７及び図８を参照して説明する。尚、上記した第１の実施形態と同一部分については説明を省略し、異なる部分について説明する。
第１の実施形態は、情報表示機間で始動情報、大当たり情報、Ｒ情報というような数値を直接的に特定し得る情報を補正信号として送受信する構成であるが、第２の実施形態は、数値を直接的に特定し得ない代替信号を補正信号として送受信する構成である。これら代替信号は役物作動や大当たりの発生を示す（パルス）信号である。
【００５８】
この場合、情報表示機は、メイン処理から情報表示機処理に移行し、情報表示機処理を開始すると、対応する遊技機１が大当たりフラグを「０」に設定している、即ち、対応する遊技機１が大当たり中でないと判定し（Ｓ３１：ＹＥＳ）、遊技機１から始動信号を受信した、即ち、スタートを特定したと判定すると（Ｓ３２：ＹＥＳ）、始動代替信号を他方の情報表示機に送信し（Ｓ３３）、始動信号タイマを作動開始する（Ｓ３４）。次いで、情報表示機は、始動代替タイマを作動中であるか否かを判定し（Ｓ３５）、始動代替タイマを作動中でないと判定すると（Ｓ３５：ＮＯ）、スタートを加算し（Ｓ３６）、その加算後のスタートを更新表示する一方、始動代替タイマを作動中である、即ち、他方の情報表示機から始動代替信号を受信してからの経過時間が始動代替タイマの設定値未満であると判定すると（Ｓ３５：ＹＥＳ）、スタートを加算しない。
【００５９】
又、情報表示機は、遊技機１から始動信号を受信していないと判定すると（Ｓ３２：ＮＯ）、他方の情報表示機から始動代替信号を受信したか否かを判定し（Ｓ３７）、他方の情報表示機から始動代替信号を受信したと判定すると（Ｓ３７：ＹＥＳ）、始動代替タイマを作動開始する（Ｓ３８）。次いで、情報表示機は、始動信号タイマを作動中であるか否かを判定し（Ｓ３９）、始動信号タイマを作動中でないと判定すると（Ｓ３９：ＮＯ）、スタートを加算し（Ｓ３６）、その加算後のスタートを更新表示する一方、始動信号タイマを作動中である、即ち、始動代替信号を他方の情報表示機に送信してからの経過時間が始動信号タイマの設定値未満であると判定すると（Ｓ３９：ＹＥＳ）、スタートを加算しない。
【００６０】
又、情報表示機は、遊技機１からの大当たり信号の受信を開始したと判定すると（Ｓ４０：ＹＥＳ）、大当たり代替信号を他方の情報表示機に送信し（Ｓ４１）、大当たりを加算し（Ｓ４２）、その加算後の大当たりを更新表示し、Ｔ１Ｙを初期化し（Ｓ４３）、大当たり中であることを示すべく大当たりフラグを「１」に設定する（Ｓ４４）。
【００６１】
又、情報表示機は、遊技機１からの大当たり信号の受信を開始していないと判定すると（Ｓ４０：ＮＯ）、他方の情報表示機から大当たり代替信号を受信したか否かを判定し（Ｓ４５）、他方の情報表示機から大当たり代替信号を受信したと判定すると（Ｓ４５：ＹＥＳ）、大当たりの発生を大当たり代替信号により特定したことを示すべく補正大当たりフラグを「１」に設定し（Ｓ４６）、大当たりを加算し（Ｓ４２）、その加算後の大当たりを更新表示し、Ｔ１Ｙを初期化し（Ｓ４３）、大当たり中であることを示すべく大当たりフラグを「１」に設定する（Ｓ４４）。
【００６２】
又、情報表示機は、大当たりフラグを「０」に設定していない、即ち、対応する遊技機１が大当たり中であると判定し（Ｓ３１：ＮＯ）、遊技機１側からアウト信号又はセーフ信号を受信したと判定すると（Ｓ４７：ＹＥＳ）、その受信したアウト信号により特定したアウト又はセーフ信号により特定したセーフに基づいてＴ１Ｙを更新する（Ｓ４８）。
【００６３】
又、情報表示機は、補正大当たりフラグを「１」に設定しているか否かを判定し（Ｓ４９）、補正大当たりフラグを「１」に設定していない、即ち、遊技機１からの大当たり信号の受信を開始したことで自機が大当たりを特定したと判定すると（Ｓ４９：ＮＯ）、遊技機１からの大当たり信号の受信を終了したか否かを判定し（Ｓ５０）、遊技機１からの大当たり信号の受信を終了したと判定すると（Ｓ５０：ＹＥＳ）、Ｔ１ＹとＴ１Ｙ判定値とを比較する（Ｓ５１）。
【００６４】
ここで、情報表示機は、Ｔ１ＹがＴ１Ｙ判定値を超過していると判定すると（Ｓ５１：ＹＥＳ）、大当たりの種類が１５Ｒであると特定し、大当たりの種類が１５Ｒであることを示す１５Ｒ代替信号を他方の情報表示機に送信し（Ｓ５２）、１５Ｒを加算する一方（Ｓ５３）、Ｔ１ＹがＴ１Ｙ判定値を超過していないと判定すると（Ｓ５１：ＮＯ）、大当たりの種類が２Ｒであると特定し、大当たりの種類が２Ｒであることを示す２Ｒ代替信号を他方の情報表示機に送信し（Ｓ５４）、２Ｒを加算し（Ｓ５５）、それら加算後のＲを更新表示し、スタートを初期化し（Ｓ５６）、対応する遊技機１が大当たり中でない（大当たりを終了した）ことを示すべく大当たりフラグを「０」に設定する（Ｓ５７）。
【００６５】
一方、情報表示機は、補正大当たりフラグを「１」に設定している、即ち、他方の情報表示機からの大当たり情報を受信したことで大当たりを特定した（他方の情報表示機が大当たりを特定した）と判定すると（Ｓ４９：ＹＥＳ）、他方の情報表示機から１５Ｒ代替信号又は２Ｒ代替信号を受信したか否かを判定し（Ｓ５８）、他方の情報表示機から１５Ｒ代替信号又は２Ｒ代替信号を受信したと判定すると（Ｓ５８：ＹＥＳ）、補正大当たりフラグを「０」に設定し（Ｓ５９）、その受信した１５Ｒ代替信号又は２Ｒ代替信号により大当たりの種類が１５Ｒ又は２Ｒの何れであるかを特定し、それら特定した１５Ｒ又は２Ｒの何れかを加算し（Ｓ６０）、それら加算後のＲを更新表示し、スタートを初期化し（Ｓ５６）、対応する遊技機１が大当たり中でない（大当たりを終了した）ことを示すべく大当たりフラグを「０」に設定する（Ｓ５７）。
【００６６】
この第２の実施形態では、上記したように情報表示機間で数値を直接的に特定し得ない信号を送受信する構成であるので、スタートについては、始動信号を受信した場合に始動信号タイマを作動開始する一方、始動代替信号を受信した場合に始動代替タイマを作動開始し、始動信号を受信した場合であれば始動代替タイマを作動中でないことを条件としてスタートを加算する一方、始動代替信号を受信した場合であれば始動信号タイマを作動中でないことを条件としてスタートを加算することで、信号の受信漏れがない場合の重複加算を防ぎつつ受信漏れがあった場合に適切にスタートを加算可能とする。又、大当たりについては、第１の実施形態と同様に、大当たり代替信号によっても大当りフラグを「１」に設定するので、スタートのようなタイマを作動することはなく、更に、大当たりの種別を示す１５Ｒ代替信号又は２Ｒ代替信号を用いて大当たりの終了を判定する。
【００６７】
以上に説明したように第２の実施形態によれば、１台の遊技機１に対応付けられて貸出機２と台上端末３との複数が遊技情報を表示する情報表示機として設けられる構成において、貸出機２及び台上端末３の各々が、遊技機１側から出力された始動信号や大当たり信号を受信することで始動代替信号や大当たり代替信号を他方の情報表示機に送信する一方、他方の情報表示機から送信された始動代替信号や大当たり代替信号を受信することでもスタートや大当たりの発生を特定するように構成したので、上記した第１の実施形態と同様に、遊技機１側からの信号の受信漏れがあってもスタートや大当たりの発生回数を情報表示機間で同期させることができる。
【００６８】
（その他の実施形態）
本発明は、上記した実施形態にのみ限定されるものではなく、以下のように変形又は拡張することができる。
状態信号については大当たり信号、それ以外の信号については始動信号を例示したが、状態信号として確変信号等、それ以外の信号としてアウト信号等を採用しても良い。
補正大当たりフラグを「１」に設定している状態では大当たり信号の受信が終了しても大当たりの終了を判定しなかったが、Ｒ情報を受信漏れするケースを想定し得るので、大当たり信号の受信終了後に別途定める終了タイマ（例えば５秒）が経過してもＲ情報を受信しなかった場合に大当たりの終了を判定しても良い。この場合、Ｒの特定は自機が更新したＴ１Ｙにて行えば良い。尚、第２の実施形態についても同様である。
【００６９】
何れの情報表示機においても遊技機側からの遊技信号を中継装置を介して間接的に受信したが、中継装置を介さずに直接的に受信しても良い。又、情報表示機間で始動情報等の各種情報や始動代替信号等の各種信号のような補正信号を中継装置を介さずに直接的に送受信したが、中継装置を介して間接的に送受信しても良い。
【００７０】
大当たりの種別をＴ１Ｙ（差玉）を用いて判定したが、対象となる遊技機の大当たりの種別が異なればＴ１Ｙ以外の大当たり中における遊技情報（アウト、セーフ、経過時間）が異なるので、Ｔ１Ｙ以外の遊技情報により大当たりの種別を判定しても良い。又、例えばＴ１ＹがＴ１Ｙ判定値に達した時点で１５Ｒの大当たりであると判定する等、大当たり中に大当たり種別を特定しても良い。
【００７１】
第１の実施形態において、可能性としては低いが、始動情報を受信した後に遅れて始動信号を受信する場合も想定され得るので、第２の実施形態と同様に、始動情報を受信したことに応じて設定時間（例えば２秒）作動する始動情報タイマを作動させ、その作動中に始動信号を受信した場合にスタートを加算しないようにしても良い。
【００７２】
始動情報、大当たり情報、始動代替信号、大当たり代替信号等の補正信号は、その性質上、遊技機側から出力された遊技信号が受信された時点から遅延して受信されることになる、即ち、補正信号により遊技情報を更新した場合には遊技機側からの遊技信号の受信漏れ等が発生している可能性が高いので、その場合は、その旨を示す異常信号を管理装置に送信し、管理装置にて表示又は印字等の出力により異常報知を行ったり、情報表示機にて表示等により異常報知を行ったりしても良い。その場合、異常を判定する毎に異常報知を行っても良いし複数の異常を一括して異常報知を行っても良い。更に、異常発生毎に履歴を作成したり異常発生回数を計数して出力したりしても良い。
【００７３】
実施形態で説明した数値等は全て例示であり、どのような数値を採用しても良い。又、特別状態回数として確変状態となった回数を採用する等、項目についても適宜選択して採用すれば良い。更に、タイマを作動させて経過時間を特定したが、時刻差を特定する等、タイマを作動させずに経過時間を特定しても良い。
対象となる遊技機としては、例示したパチンコ遊技機以外のパチンコ遊技機や、スロットマシン等でも良い。対象となる遊技機がスロットマシンである場合には遊技媒体はメダルとなる。
情報表示機が行う情報処理の一部を中継装置や管理装置等にて行う構成としても良い。
【符号の説明】
【００７４】
図面中、１は遊技機１は貸出機（情報表示機、受信手段、状態特定手段、遊技情報特定手段、表示手段、送信手段、判定手段、補正手段、補正状態特定手段、終了判定手段、比較手段、異常報知手段、対象特定手段）、３は台上端末（情報表示機、受信手段、状態特定手段、遊技情報特定手段、表示手段、送信手段、判定手段、補正手段、補正状態特定手段、終了判定手段、比較手段、異常報知手段、対象特定手段）である。
【図１】
0005443263.tif 000002
【図２】
0005443263.tif 000003
【図３】
0005443263.tif 000004
【図４】
0005443263.tif 000005
【図５】
0005443263.tif 000006
【図６】
0005443263.tif 000007
【図７】
0005443263.tif 000008
【図８】
0005443263.tif 000009